(57)【特許請求の範囲】
【請求項１】
保持体の周面に可撓性の板状部材を巻回させて保持するための保持装置であって、
前記保持体内部の軸方向にわたって形成された孔部と、
前記孔部と接続するように前記保持体周面の軸方向にわたって切り欠かれて設けられ、前記板状部材の咥え側端部及び咥え尻側端部が挿入される溝部と、
前記孔部に嵌挿され、前記咥え尻側端部を係止するテンションバーと、
前記孔部内に設けられ、前記テンションバーを回転させる回転機構とをそなえ、
前記回転機構が、前記テンションバーの回転位相位置を、前記咥え尻側端部を前記溝部内に取り付ける取付位置、前記咥え尻側端部を前記溝部内へ引き込んで前記板状部材を前記保持体周面に締め付ける締め位置、及び前記咥え尻側端部を前記溝部内から解放する脱位置の何れか１つに切り替え固定可能に構成されている
ことを特徴とする、保持装置。
【請求項２】
前記回転機構は、
前記テンションバーの一端に嵌挿され、前記テンションバーと所定の範囲内で相対回転を許容された支持軸と、
前記支持軸に固定されたストッパに形成された凹部と、
前記凹部と係合するプランジャピンとを有し、
前記凹部と前記プランジャピンとが、前記取付位置、前記締め位置、前記脱位置の何れか１つに対応した位置で係合する
ことを特徴とする請求項１記載の保持装置。
【請求項３】
前記保持体が、円筒形状のスリーブである
ことを特徴とする、請求項１又は２記載の保持装置。
【請求項４】
前記テンションバーが、前記板状部材の前記咥え尻側端部を係止する係止爪をそなえている
ことを特徴とする、請求項１〜３の何れか１項に記載の保持装置。
【請求項５】
前記回転機構が、前記テンションバーを前記板状部材の前記咥え尻側端部を前記溝部内へ引き込む方向へ付勢するねじりばねを備えているとともに、前記締め位置では前記テンションバーが前記板状部材を引き込む方向へさらに所定量だけ回転しうるように構成されている
ことを特徴とする、請求項２〜４の何れか１項に記載の保持装置。
【請求項６】
前記ねじりばねが、前記テンションバーの両端部にそれぞれ設けられている
ことを特徴とする、請求項５記載の保持装置。
【発明の詳細な説明】
【技術分野】
【０００１】
本発明は、保持体周面に板状部材を保持する保持装置に関し、特に、印刷機の版胴スリーブ周面に版を保持するのに用いて好適の、保持装置に関するものである。
【背景技術】
【０００２】
従来より、印刷機の版胴周面に版を保持する版保持装置が種々開発されている。例えば特許文献１には、版の咥え尻側端部を係止する板ばねをテンションバーの軸方向にわたって備えるとともに、テンションバーの軸端部に固定されたレバーをばねにより動かしてテンションバーを回転させ、板ばねにより版の咥え尻側端部を版胴のスリット内に引き込んで版胴周面に版を保持する版保持装置が開示されている。
【０００３】
また、特許文献２には、特許文献１の技術と同様に版の咥え尻側端部を係止する板ばねをテンションバーの軸方向にわたって備えるとともに、ばねの代わりに作動シリンダを用いて、テンションバーの軸端部に固定されたレバーを動かしてテンションバーを回転させ、板ばねにより版の咥え尻側端部を版胴のスリット内に引き込んで版胴周面に版を保持する版保持装置が開示されている。
【特許文献１】実開平４−７１３３号公報
【特許文献２】特開２０００−３０１６９４号公報
【発明の開示】
【発明が解決しようとする課題】
【０００４】
しかしながら、上述した特許文献１，２の技術では、テンションバーを回転させるためのレバー，ばね又は作動シリンダなどの回転機構を版胴の端部に設けるため、装置が大型化してしまう。特に、近年では、支持体に円筒形状のスリーブを装着して版胴の径を自由に変更できるようにする技術が開発されており、この場合にはスリーブ周面に版を保持させる必要があるが、このようなスリーブは厚みが例えば約２０ｍｍと非常に薄いため、特許文献１，２に開示されているような版保持装置を適用することは困難である。
【０００５】
本発明は、このような課題に鑑み創案されたもので、特に薄肉の版胴スリーブに適し、装置を小型化できるようにした、保持装置を提供することを目的とする。
【課題を解決するための手段】
【０００６】
上記課題を解決するため、請求項１記載の本発明の保持装置は、保持体の周面に可撓性の板状部材を巻回させて保持するための保持装置であって、前記保持体内部の軸方向にわたって形成された孔部と、前記孔部と接続するように前記保持体周面の軸方向にわたって切り欠かれて設けられ、前記板状部材の咥え側端部及び咥え尻側端部が挿入される溝部と、前記孔部に嵌挿され、前記咥え尻側端部を係止するテンションバーと、前記孔部内に設けられ、前記テンションバーを回転させる回転機構とをそなえ、前記回転機構が、前記テンションバーの回転位相位置を、前記咥え尻側端部を前記溝部内に取り付ける取付位置、前記咥え尻側端部を前記溝部内へ引き込んで前記板状部材を前記保持体周面に締め付ける締め位置、及び前記咥え尻側端部を前記溝部内から解放する脱位置の何れか１つに切り替え固定可能に構成されていることを特徴としている。
【０００７】
また、請求項２記載の本発明の保持装置は、請求項１記載の装置において、前記回転機構は、前記テンションバーの一端に嵌挿され、前記テンションバーと所定の範囲内で相対回転を許容された支持軸と、前記支持軸に固定されたストッパに形成された凹部と、前記凹部と係合するプランジャピンとを有し、前記凹部と前記プランジャピンとが、前記取付位置、前記締め位置、前記脱位置の何れか１つに対応した位置で係合することを特徴としている。
【０００８】
また、請求項３記載の本発明の保持装置は、請求項１又は２記載の装置において、前記保持体が、円筒形状のスリーブであることを特徴としている。
また、請求項４記載の本発明の保持装置は、請求項１〜３の何れか１項に記載の装置において、前記テンションバーが、前記板状部材の前記咥え尻側端部を係止する係止爪をそなえていることを特徴としている。
【０００９】
また、請求項５記載の本発明の保持装置は、請求項２〜４の何れか１項に記載の装置において、前記回転機構が、前記テンションバーを前記板状部材の前記咥え尻側端部を前記溝部内へ引き込む方向へ付勢するねじりばねを備えているとともに、前記締め位置では前記テンションバーが前記板状部材を引き込む方向へさらに所定量だけ回転しうるように構成されていることを特徴としている。
【００１０】
また、請求項６記載の本発明の保持装置は、請求項５記載の装置において、前記ねじりばねが、前記テンションバーの両端部にそれぞれ設けられていることを特徴としている。
【発明の効果】
【００１１】
本発明の保持装置によれば、テンションバーが嵌挿される孔部に回転機構を備えることができるので、装置を小型化できるとともに、確実に板状部材（例えば、版，メタルブランケット）を保持することができる。
また、テンションバーの回転位相位置を取付位置，締め位置、及び脱位置の何れか１つに切り替えて固定することができ、板状部材の着脱を容易に行なうことができる。これにより、板状部材の取り付け及び取り外しのための作業を一人で容易に行なうことができる。
【００１２】
また、円筒形状のスリーブに設けることができるため、円筒状スリーブを保持体から取外して板状部材の着脱を行うことができ、作業性が向上される。
また、板状部材の咥え尻側端部をテンションバーの係止爪に引っ掛けて固定することができるので、板状部材の取り付け作業中に板状部材の咥え尻側端部が外れることなく、板状部材の取り付け作業が容易となる。
【００１３】
また、板状部材が伸びて板状部材の咥え尻側端部にずれが生じても、このずれに応じてテンションバーが回転するので、常に板状部材の咥え尻側端部を溝部内へ引き込むことができ、板状部材が緩むことなく、確実に板状部材を保持体周面に固定することができる。
また、テンションバーの両端部でテンションバーに回転力を与えるため、テンションバーのねじれを少なくすることができる。
【発明を実施するための最良の形態】
【００１４】
以下、図面を参照しながら本発明の実施形態について説明する。
図１〜図１３は、本発明の一実施形態としての保持装置を説明するためのもので、図１はその要部を示す構造図、図２は版胴の斜視図、図３は版胴の軸線方向断面図、図４は図３のＺ−Ｚ断面図、図５は図４のＡ方向矢視図、図６は要部を操作側から見た側面図、図７は要部を駆動側から見た側面図、図８は図７のＳ−Ｓ断面図、図９は図８のＭ部詳細図、図１０（ａ）〜図１０（ｃ）は回転機構の動作説明図、図１１（ａ）〜図１１（ｄ）は図１のＴ−Ｔ断面図、図１２（ａ）〜図１２（ｄ）は図１のＰ−Ｐ断面図、図１３は版取付時の版の動作を説明するための説明図である。
【００１５】
図２及び図３に示すように、本実施形態に係る保持装置１は、印刷機の印刷胴（印刷機には版胴，ブランケット胴があるが、以下では版胴を例に説明する）２に備えられる。版胴２は、ここでは、支持体３と、支持体３の周面に装着される円筒形状の版胴スリーブ（保持体。以下、単にスリーブという）４とから構成されており、厚みの異なるスリーブ４を支持体３に装着することで版胴２の径を自由に変更することが可能となっている。スリーブ４の厚みは例えば約２０ｍｍと非常に薄いが、後述するように本保持装置１は従来の保持装置と比べて格段にコンパクトな構成であるため、このような薄肉のスリーブ４にも容易に設置することが可能となっている。また、版（可撓性の板状部材。ブランケット胴の場合、メタルブランケットなどのブランケットシート）５は、図２に示すように本保持装置１によりスリーブ４の周面に巻回されて取り付けられる。なお、以下では、スリーブ４に本保持装置１を備えた例について説明するが、スリーブ４を用いない版胴（即ち、スリーブ式でない版胴自体）に直接備えるようにしてももちろんよい。また、スリーブ４には、スリーブ４内周面に支持体３の外径よりわずかに小さい径の弾性体（図示省略）が設けられている。スリーブ取付時は、支持体３外周面より径外に向かって高圧エアを吹き出すことにより弾性体を拡張させ、支持体３の軸線方向にスリーブ４を挿入する。スリーブ４を挿入した後、高圧エアを止めて弾性体が縮径することにより支持体３外周面に固定されることとなる。
【００１６】
図１に示すように、本保持装置１は、スリーブ４内部の軸線方向にわたって形成された孔部７と、孔部７に嵌挿されたテンションバー１０と、孔部７内に設けられ、テンションバー１０を回転させる回転機構１１とを備えている。また、図４及び図５に示すように、本保持装置１は、孔部７と接続するようにスリーブ４周面の軸線方向にわたって切り欠かれて設けられた溝部８を備えており、この溝部８に版５の咥え側端部及び咥え尻側端部（図１２参照）が挿入される。
【００１７】
図１に示すようにテンションバー１０は孔部７の軸線方向略中央部に配置されており、テンションバー１０には版５の咥え尻側端部を係止するための係止爪１０ａ〔例えば、図１２（ａ）参照〕が設けられている。また、回転機構１１は、テンションバー１０の回転位相位置を、版５の咥え尻側端部を溝部８内に取り付ける取付位置、及び、版５の咥え尻側端部を溝部８内へ引き込んで版５をスリーブ４周面に締め付ける締め位置、及び、版５の咥え尻側端部を溝部８内から解放する脱位置の何れか１つに切り替えるように構成されている。
【００１８】
図１において、回転機構１１を具体的に説明すると、テンションバー１０の操作側（一端部）には第１支持軸１２が配置されている。第１支持軸１２の駆動側端部１２ａは、テンションバー１０の操作側端部に形成された係合孔１４ａに回転摺動可能に挿嵌されている。また、第１支持軸１２の外周を巻回するように配置されたねじりばね（第１のねじりばね）１６が設けられている。さらに、ねじりばね１６の駆動側端部１６ａは、テンションバー１０の操作側端部に形成されたばね係合孔１５ａに挿嵌され係止されているとともに、ねじりばね１６の操作側端部１６ｂは、第１支持軸１２の操作側端部１２ｂに形成されたばね係合孔１７に挿嵌され係止されている。
【００１９】
また、第１支持軸１２の操作側端部１２ｂには第１ハンドル（第１操作部）１２ｃが形成されている。第１ハンドル１２ｃはスリーブ４の孔部７から操作側外部に突出しており、この第１ハンドル１２ｃを、テンションバー１０が版５の咥え尻側端部を溝部８に引き込む方向（版締め方向）へ回すことで、ねじりばね１６がねじられてテンションバー１０を上記の版引き込み方向へ付勢できるようになっている。
【００２０】
つまり、第１支持軸１２とテンションバー１０とは軸の回転方向に互いに拘束されていないので、第１支持軸１２とテンションバー１０との間のねじりばね１６には、組み付け時に予めねじりを与えておくことはできない。そこで、テンションバー１０，ねじりばね１６及び第１支持軸１２の組み付け後に第１ハンドル１２ｃを回転させることにより、ねじりばね１６を版引き込み方向へ付勢する付勢力を与えるようにしている。
【００２１】
このため、図６に示すように、第１ハンドル１２ｃには凹部１２ｄが形成されており、
第１ハンドル１２ｃを版引き込み方向に回転させ、この凹部１２ｄにストッパ１９を係合
させて第１ハンドル１２ｃを所定位置に固定することで、ねじりばね１６に所定のねじり
力が発生し、テンションバー１０に上記の版引き込み方向へ所定量の付勢力を付与してお
くことが可能となっている。また、図１に示すように、第１ハンドル１２ｃにはレンチ取
付穴２０が設けられており、第１ハンドル１２ｃを回して、ねじりばね１６をねじる際に
は、このレンチ取付穴２０にレンチを取り付けて回すことができる。なお、第１ハンドル
１２ｃの操作は組み付け後の段階で行なえば、あとは、基本的に行なう必要はなく、これ
により、ねじりばね１６は所定の付勢力を発揮することになる。
【００２２】
一方、テンションバー１０の駆動側（他端部）には第２支持軸１３が配置されている。第２支持軸１３の操作側端部１３ａは、テンションバー１０の駆動側端部に形成された係合孔１４ｂに挿嵌されている。テンションバー１０の駆動側端部に形成された係合孔１４ｂは例えば図１１（ａ）に示すように楕円（長円）形に形成されているとともに、第２支持軸１３の操作側端部１３ａも略楕円形に形成されており、係合孔１４ｂ内壁と第２支持軸１３の操作側端部１３ａとの間には微小隙間が形成されている。また、図１に示すように、第２支持軸１３の外周を巻回すように配置されたねじりばね（第２のねじりばね）２１が設けられている。さらに、ねじりばね２１の操作側端部２１ａは、テンションバー１０の駆動側端部に形成されたばね係合孔１５ｂに挿嵌され係止されているとともに、版引き込み方向に所定量ねじられたねじりばね２１の駆動側端部２１ｂは、第２支持軸１３の駆動側端部１３ｂに形成されたばね係合孔２２に挿嵌され係止されている。なお、第２支持軸１３はテンションバー１０との相対回転を所定範囲内に規制されているので、両者をアセンブリ組み立てする際にねじりばね２１に予めねじりを加えて付勢力を発揮できる状態に組みつけておくことができる。
【００２３】
また、第２支持軸１３の駆動側端部１３ｂには第２ハンドル（第２操作部）１３ｃが形成されている。第２ハンドル１３ｃはスリーブ４の孔部７から駆動側外部に突出しており、この第２ハンドル１３ｃを回すことで、テンションバー１０の回転位相位置を調節できるようになっている。さらに、第２ハンドル１３ｃにもレンチ取付穴２４が設けられており、版着脱時にテンションバー１０を回す際には、このレンチ取付穴２４にレンチを取り付けて回す。
【００２４】
また、図１及び図７に示すように、第２支持軸１３の駆動側端部１３ｂには、第２支持軸１３に垂直にストッパ２５が嵌挿されている。ストッパ２５は第２支持軸１３に固定されており、第２ハンドル１３ｃを図７に示す版締付方向や版脱方向へ回すと、第２支持軸１３と一体となって回るようになっている。
さらに、図７，図８及び図９に示すように、ストッパ２５よりも操作側にプランジャピン２６，２７が設けられており、プランジャピン２６，２７はそれぞれ皿ばね２６ａ，２７ａによりストッパ２５の操作側の面に当接するようになっている。
【００２５】
また、図１０（ａ）〜図１０（ｃ）に示すように、ストッパ２５の操作側の面には３つの凹部２５ａ，２５ｂ，２５ｃが形成されており、これら凹部２５ａ，２５ｂ，２５ｃがプランジャピン２６，２７と適宜係合することで、図１０（ａ）に示す版５の脱位置（版５の咥え尻側端部をテンションバー１０の係止爪１０ａから解放してスリーブ４の溝部８から取り外すときの位置）と、図１０（ｂ）に示す版５の取り付け位置（版５の咥え尻側端部をテンションバー１０の係止爪１０ａにより係止する位置）と、図１０（ｃ）に示す版５の締め位置（版５の咥え尻側端部をテンションバー１０の係止爪１０ａによりスリーブ４の溝部８内に引き込んで版５をスリーブ４周面に締め付ける位置）との３箇所の位置で第２ハンドル１３ｃを固定できるようになっている。
【００２６】
ここでは、図１０（ａ）に示すようにストッパ２５の凹部２５ｂがプランジャピン２６に係合したときが版５の脱位置に対応し、また、図１０（ｂ）に示すようにストッパ２５の凹部２５ａがプランジャピン２６に係合し、且つストッパ２５の凹部２５ｃがプランジャピン２７に係合したときが版５の取付位置に対応し、さらに、図１０（ｃ）に示すようにストッパ２５の凹部２５ｂがプランジャピン２７に係合したときが版５の締め位置に対応している。なお、規制壁２８により、版５の脱位置においてストッパ２５が締付方向とは逆方向へそれ以上回転しないように規制されるとともに、規制壁２９により、版５の締め位置においてストッパ２５が締付方向へそれ以上回転しないように規制される。
【００２７】
また、図１１（ａ）〜図１１（ｄ）に示すようにテンションバー１０は、ねじりばね１６及びねじりばね２１により版５の締付方向に付勢されているため、第２支持軸１３の操作側端部１３ａを版５の脱位置，取付位置、及び締め位置に順に移動させていくと、テンションバー１０の係合孔１４ｂが第２支持軸１３の操作側端部１３ａに当接した状態で、テンションバー１０が第２支持軸１３の操作側端部１３ａの回転に追従して版５の締め付け方向へ回るようになっている。
【００２８】
なお、上述したように第２支持軸１３の操作側端部１３ａとテンションバー１０の係合孔１４ｂとの間には隙間が存在しており、第２支持軸１３の操作側端部１３ａを図１１（ｃ）に示す版５の取付位置から図１１（ｄ）に示す版５の締め位置まで回転させる途中、テンションバー１０が版５の咥え尻側端部を締め付けた状態となってテンションバー１０がそれ以上回転しなくなっても、第２支持軸１３の操作側端部１３ａは図１１（ｄ）に示す版５の締め位置まで回転する。これにより、図１２（ｄ）に示すように、確実に版５の咥え尻側端部をスリーブ４の溝部８内に引き込んで版５をスリーブ４周面に締め付けることが可能となっている。
【００２９】
また、第２支持軸１３の操作側端部１３ａが図１１（ｄ）に示す版５の締め位置にある時、第２支持軸１３の操作側端部１３ａとテンションバー１０の係合孔１４ｂとの間には、テンションバー１０がさらに版５の締付方向へ所定量だけ回転できる隙間（余裕代）が形成される。これにより、版締め付け後に版５が伸びて版５の咥え尻側端部にずれが生じても、このずれに応じてテンションバー１０が版５の締付方向へ回転して版５の咥え尻側端部をスリーブ４の溝部８内へ引き込むため、版５が緩むことがなく、確実に版５をスリーブ４周面に締め付けることができる。
【００３０】
本発明の一実施形態としての保持装置１は、上述のごとく構成されているので、版５のスリーブ４周面への取り付け、及び取り外しは次のようにして行なわれる。
まず、図１２（ｂ）に示すように、版５の咥え側端部をスリーブ４の溝部８に挿入して版５をスリーブ４周面に巻きつけ、版５の咥え尻側端部をスリーブ４の溝部８に挿入する。このとき、図１０（ｂ）に示す取付位置にストッパ２５がくるように第２ハンドル１３ｃを操作し、テンションバー１０の係止爪１０ａを図１２（ｂ）に示す位置に配置しておく。この状態で、図１３に示すインボリュート曲線を描くように版５の咥え尻側端部をスリーブ４の溝部８内に挿入し、版５の咥え尻側端部の屈曲した先端がテンションバー１０の係止爪１０ａを乗り越えて係止爪１０ａに引っ掛かる。このように、版５の咥え尻側端部をスリーブ４の溝部８内に押し込むだけで、図１２（ｃ）に示すように版５の咥え尻側端部をテンションバー１０の係止爪１０ａに引っ掛けて固定することができるので、版５の取り付け作業中に版５の咥え尻側端部が外れることなく、版５の取り付け作業が容易となる。なお、版５の咥え側端部はスリーブ４の溝部８の内壁とテンションバー１０の周面とにより狭持されて固定されている。
【００３１】
その後、図１０（ｃ）に示す締め位置にストッパ２５がくるように第２ハンドル１３ｃ（図７参照）を締付方向へ回し、テンションバー１０の係止爪１０ａを図１２（ｄ）に示す位置に回転させて版５の咥え尻側端部をスリーブ４の溝部８内に引き込む。これにより、版５をスリーブ４周面に容易、且つ確実に締め付けることができる。
また、版５を取り外す際は、図１０（ａ）に示す脱位置にストッパ２５がくるように第２ハンドル１３ｃ（図７参照）を締付方向とは逆方向（版脱方向）へ回し、テンションバー１０の係止爪１０ａを図１２（ａ）に示す位置に回転させて版５の咥え尻側端部をテンションバー１０の係止爪１０ａから外す。このとき、版５は弾性力によりスリーブ４の溝部８から飛び出してくる。これにより版５をスリーブ４の溝部８から容易に抜き出すことができる。
【００３２】
このように、本保持装置１は、スリーブ４の孔部７内にテンションバー１０と一緒に回転機構１１も組み込んだ構成となっているので、装置をコンパクトにすることが可能であり、本実施形態のように例えば厚さ約２０ｍｍのスリーブ４にでも設けることができる。
また、テンションバー１０の軸線方向両端部に設けたねじりばね１６，２１によりテンションバー１０に回転力を与えているので、テンションバー１０両端部に均一な付勢力を付与することができ、テンションバー１０のねじれを少なくすることができる。
【００３３】
さらに、図１２（ｃ）に示すように、版５の咥え尻側端部をスリーブ４の溝部８内に挿入する際、版５の咥え尻側端部を押し込めば版５の咥え尻側端部がテンションバー１０の係止爪１０ａを乗り越えて引っ掛かるため、その後手を離しても版５の咥え尻側端部がテンションバー１０の係止爪１０ａから外れることがない。
また、図１０（ａ）〜図１０（ｃ）に示すストッパ２５及びプランジャ２６，２７からなる位置決め機構により、テンションバー１０を脱位置，取付位置及び締め位置の３つのポジションに容易に配置することができる。これにより、版の取り付け及び取り外しのための作業を一人で容易に行なうことができる。
【００３４】
また、従来はテンションバーへの板ばねの取り付けが困難であったが、本保持装置１では従来のような板ばねを必要としないので、装置組立も容易である。さらに、従来は板ばねの先端と版の咥え尻側端部とが正確に係合しないと版を引き込むことができないおそれがあったが、本保持装置１ではこのようなおそれもない。
また、スリーブ周面に版を取り付ける手法としては、例えば一般的なフレキソ印刷のように版をスリーブ周面に接着剤で直接貼り付けることが知られているが、このようにして貼り付けると、版を剥がす時に版が損傷するため再利用することができない。しかし、図１２（ｄ）に示すように本保持装置１は、版５をテンションバー１０の係止爪１０ａに引っ掛けて保持する方式であるため、版５に損傷を与えることがなく再利用することが可能である。
【００３５】
以上、本発明の実施形態について説明したが、本発明は上記の実施形態に限定されるものではなく、本発明の趣旨を逸脱しない範囲で種々変形して実施することができる。
【図面の簡単な説明】
【００３６】
【図１】本発明の一実施形態としての保持装置の要部を示す構造図である。
【図２】本発明の一実施形態に係る版胴の斜視図である。
【図３】本発明の一実施形態に係る版胴を軸方向に切断した時の版胴の断面図である。
【図４】図３のＺ−Ｚ断面図である。
【図５】図４のＡ方向矢視図である。
【図６】本発明の一実施形態としての保持装置の要部を操作側から見た側面図である。
【図７】本発明の一実施形態としての保持装置の要部を駆動側から見た側面図である。
【図８】図７のＳ−Ｓ断面図である。
【図９】図８のＭ部詳細図である。
【図１０】（ａ）〜（ｃ）は回転機構の動作説明図である。
【図１１】（ａ）〜（ｄ）は図１のＴ−Ｔ断面図である。
【図１２】（ａ）〜（ｄ）は図１のＰ−Ｐ断面図である。
【図１３】版着脱時の版の動作を説明するための説明図である。
【符号の説明】
【００３７】
１  保持装置
２  版胴
３  支持体
４  スリーブ（保持体）
５  版（可撓性の板状部材）
７  孔部
８  溝部（スリット）
１０  テンションバー
１０ａ  係止爪
１１  回転機構
１２  第１支持軸
１２ａ  第１支持軸の駆動側端部
１２ｂ  第１支持軸の操作側端部
１２ｃ  第１ハンドル
１２ｄ  凹部
１３  第２支持軸
１３ａ  第２支持軸の操作側端部
１３ｂ  第２支持軸の駆動側端部
１３ｃ  第２ハンドル
１４ａ  テンションバーの操作側端部に形成された係合孔
１５ａ  テンションバーの操作側端部に形成されたばね係合孔
１４ｂ  テンションバーの駆動側端部に形成された係合孔
１５ｂ  テンションバーの駆動側端部に形成されたばね係合孔
１６  ねじりばね
１６ａ  ねじりばねの駆動側端部
１６ｂ  ねじりばねの操作側端部
１７  第１支持軸の操作側端部に形成されたばね係合孔
１９  ストッパ
２０  レンチ取付穴
２１  ねじりばね
２１ａ  ねじりばねの操作側端部
２１ｂ  ねじりばねの駆動側端部
２２  第２支持軸の駆動側端部に形成されたばね係合孔
２４  レンチ取付穴
２５  ストッパ
２５ａ，２５ｂ，２５ｃ  凹部
２６，２７  プランジャピン
２６ａ，２７ａ  皿ばね
２８，２９  規制壁
【図１】
0004699106.tif 000002
【図２】
0004699106.tif 000003
【図３】
0004699106.tif 000004
【図４】
0004699106.tif 000005
【図５】
0004699106.tif 000006
【図６】
0004699106.tif 000007
【図７】
0004699106.tif 000008
【図８】
0004699106.tif 000009
【図９】
0004699106.tif 000010
【図１０】
0004699106.tif 000011
【図１１】
0004699106.tif 000012
【図１２】
0004699106.tif 000013
【図１３】
0004699106.tif 000014